(57)【要約】【課題】  ハンガーレールにワンタッチでしかも確実にワイヤーの上端を取り付けて吊るすことができるワイヤーの吊下装置を提供すること。【解決手段】  上向きの溝と下向きの溝を有するハンガーレールと、同ハンガーレールの上向きの溝に上方から嵌合するフック部を一体形成したワイヤーの終端止めの吊下部材と、同ハンガーレールの下向きの溝に下方から嵌合するフック部を一体形成した係止ボールを内蔵したワイヤーストッパーとから構成され、吊下部材のフック部をハンガーレールの上向きの溝に上方から嵌合させてワイヤーを吊り下げた後、ワイヤーストッパーのフック部をハンガーレールの下向きの溝に下方から嵌合させるようにしたことを特徴とする。【選択図】        図２
2005246011.tif 000002
【特許請求の範囲】
【請求項１】
上向きの溝と下向きの溝を有するハンガーレールと、同ハンガーレールの上向きの溝に上方から嵌合するフック部を一体形成したワイヤーの終端止めの吊下部材と、同ハンガーレールの下向きの溝に下方から嵌合するフック部を一体形成した係止ボールを内蔵したワイヤーストッパーとから構成され、吊下部材のフック部をハンガーレールの上向きの溝に上方から嵌合させてワイヤーを吊り下げた後、ワイヤーストッパーのフック部をハンガーレールの下向きの溝に下方から嵌合させるようにしたことを特徴とするワイヤーの吊下装置。
【発明の詳細な説明】
【技術分野】
【０００１】  本発明は、ワイヤーストッパーの原理を利用したワイヤーの吊下装置に関するものである。
【背景技術】
【０００２】
【特許文献１】  特開２００１−４９９３０号公報
【発明の開示】
【発明が解決しようとする課題】
【０００３】  従来から、壁面に固定されたハンガーレールに、絵画やポスターの額を吊り下げるワイヤー上端のフックを引っ掛けて吊るすワイヤーの吊下装置なるものは公知である。【０００４】  然しながら、このような装置では単にワイヤーをワイヤー上端のフックをハンガーレールの溝に引っ掛けて吊るすだけであるので、ワイヤーに吊るされた額が風に煽られて揺れたり、フックに下から物が当たったりしたときに不測にフックが外れて脱落したりする危険性があった。
【発明の目的】
【０００５】  本発明は、ハンガーレールにワンタッチでしかも確実にワイヤーの上端を取り付けて吊るすことができるワイヤーの吊下装置を提供することを目的とするものである。
【課題を解決するための手段】
【０００６】  本発明に係るワイヤーの吊下装置は、上向きの溝と下向きの溝を有するハンガーレールと、同ハンガーレールの上向きの溝に上方から嵌合するフック部を一体形成したワイヤーの終端止めの吊下部材と、同ハンガーレールの下向きの溝に下方から嵌合するフック部を一体形成した係止ボールを内蔵したワイヤーストッパーとから構成され、吊下部材のフック部をハンガーレールの上向きの溝に上方から嵌合させてワイヤーを吊り下げた後、ワイヤーストッパーのフック部をハンガーレールの下向きの溝に下方から嵌合させるようにしたことを特徴とするものである。
【発明の作用】
【０００７】  本発明では、ワイヤーを吊るす吊下部材とワイヤーストッパーがワイヤーを介して係止ボールの作用で一体化し、吊下部材とワイヤーストッパーの両フック部がハンガーレールの上下の溝に嵌合して固定され、係止ボールのワイヤーへの係止作用を解除することによって簡単にワイヤーストッパーのフック部がハンガーレールから外れる。
【実施例】
【０００８】  図１は、本発明に係るワイヤーの吊下装置の全体斜視図、図２は、同装置のワイヤーを吊り下げた状態の縦断側面図、図３は、ワイヤーストッパーのワイヤー係止状態を表わす拡大縦断側面図、図４は、ワイヤーストッパーのワイヤー係止解除状態を表わす拡大縦断側面図である。【０００９】  図において、１は、ワイヤーＷを吊るすためのハンガーレールであって、壁面への取付面と反対側の面の上下に膨出部を長手方向全長に亘って形成し、上部の膨出部には上方が開放する上向きの溝１−１、下部の膨出部には下方が開放する下向きの溝１−２が形成されている。【００１０】  ２は、ワイヤーＷの終端を止めるための吊下部材であって、ワイヤーＷの終端に固着されたピンＷ−１が嵌入する孔２−１と後述するワイヤーストッパーの膨出部が嵌合する孔２−２が径の小さい孔２−３を介して連なっており、その上端には前記ハンガーレール１の上向きの溝１−１に嵌合するフック部２−４が一体的に形成されている。【００１１】  ３は、ワイヤーＷを本体内部に設けられた複数の係止ボールによって挟持してワイヤーＷに係止される特開２００１−４９９３０号公報他多数の公報でも公知となっているワイヤーストッパーであって、本体と一体のプレート３−１に前記ハンガーレール１の下向きの溝１−２に嵌合するフック部３−２が形成されている。【００１２】  ワイヤーストッパー３の具体的構成は、ワイヤーＷが通る孔を有する断面視円錐台状の凹部３−３ａを形成したシリンダー３−３と、この孔３−３ａに嵌合するワイヤーＷが通る孔を有する円錐台状の係止部材３−４及びこの係止部材３−４を常時シリンダー３−３の孔３−３ａに嵌合させる方向に付勢するスプリング３−５とから構成され、係止部材３−４の斜面側に形成された孔に入れられた複数の係止ボール３−４ａによってワイヤーＷを挟持するようになっている。【００１３】  この係止ボール３−４ａによる挟持作用は、図３のように係止部材３−４がスプリング３−５に付勢されてシリンダー３−３の凹部３−３ａに嵌まり込んでいるのときには、係止ボール３−４ａが凹部３−３ａの小径となっている壁面に押されて中央側に押し込まれ、係止部材３−４の中央の孔を通るワイヤーＷを係止ボール３−４ａが挟持してワイヤーＷとワイヤーストッパー３が一体化するもので、図４のように係止部材３−４と一体のパイプ下端の摘み３−４ｂをスプリング３−５に抗して引き下げてやれば、係止ボール３−４ａを押し込む力がなくなり、ワイヤーＷとワイヤーストッパー３がフリーとなって係止解除されるものである。【００１４】  次に、本発明装置の具体的用法を説明する。【００１５】  先ず、ワイヤーＷを吊下部材２の上端の孔２−１から孔２−３、２−２を通し、ワイヤーストッパー３の中央の孔を通した後、吊下部材２のフック部２−４を壁面に予め取り付けられているハンガーレール１の上向きの溝１−１に嵌合させ、係止部材３−４の摘み３−４ｂをスプリング３−５に抗して引き下げた侭ワイヤーストッパー３をそのまま持ち上げてプレート３−１中央部の膨出部３−１ａを吊下部材２の孔２−２に嵌合させると同時にフック部３−２をハンガーレール１の下向きの溝１−２に嵌合させ、摘み３−４ｂから手��離すと、上述したように係止ボール３−４ａがワイヤーＷを挟持してワイヤーストッパー３はこの位置に固定され、吊下部材２とワイヤーストッパー３はワイヤーＷを介して一体化された状態となる。【００１６】  つまり、吊下部材２とワイヤーストッパー３即ちワイヤーＷは両フック部２−４、３−２を介してハンガーレール１に固定された状態となり、ワイヤーＷに吊るされた額等が揺れたり、吊下部材２に下から物が当たっても吊下部材２がハンガーレール１から外れることがないものである。【００１７】  ワイヤーＷをハンガーレール１から外したいときには、ワイヤーストッパー３の摘み３−４ｂをスプリング３−５に抗して引き下げてやれば上述したように係止ボール３−４ａによるワイヤーＷの係止作用が解除され、プレート３−１のフック部３−２がハンガーレール１の下向きの溝１−２から外れ、吊下部材２をハンガーレール１から簡単に外せるものである。
【発明の効果】
【００１８】  以上述べたように、本発明に係るワイヤーの吊下装置によれば、上向きの溝と下向きの溝を有するハンガーレールと、同ハンガーレールの上向きの溝に上方から嵌合するフック部を一体形成したワイヤーの終端止めの吊下部材と、同ハンガーレールの下向きの溝に下方から嵌合するフック部を一体形成した係止ボールを内蔵したワイヤーストッパーとから構成され、吊下部材のフック部をハンガーレールの上向きの溝に上方から嵌合させてワイヤーを吊り下げた後、ワイヤーストッパーのフック部をハンガーレールの下向きの溝に下方から嵌合させるようにしたもので、ワイヤーを吊るす吊下部材とワイヤーストッパーがワイヤーを介して係止ボールの作用で一体化し、吊下部材とワイヤーストッパーの両フック部がハンガーレールの上下の溝に嵌合して固定され、係止ボールのワイヤーへの係止作用を解除することによって簡単にワイヤーストッパーのフック部がハンガーレールから外れるようになっているため、ハンガーレールにワンタッチでしかも確実且つ安全にワイヤーの上端を取り付けて吊るすことができるもので、簡単な構造であるにも拘わらずその作用効果は多大である。
【図面の簡単な説明】
【００１９】
【図１】  本発明に係るワイヤーの吊下装置の全体斜視図である。
【図２】  同装置のワイヤーを吊り下げた状態の縦断側面図である。
【図３】  ワイヤーストッパーのワイヤー係止状態を表わす拡大縦断側面図である。
【図４】  ワイヤーストッパーのワイヤー係止解除状態を表わす拡大縦断側面図である。
【符号の説明】
【００２０】      １          ハンガーレール
２          吊下部材
３          ワイヤーストッパー
【図１】
2005246011.tif 000003
【図２】
2005246011.tif 000004
【図３】
2005246011.tif 000005
【図４】
2005246011.tif 000006